(57)【要約】【課題】ジグソーを小型化する。【解決手段】ハウジング（６）内にモータ（７）が横置きされ、ハウジング（６）内の前部に鋸刃（８）の駆動軸が縦置きされ、ハウジング（６）の下方に定盤（９）が配置されたジグソーにおいて、上記モータ（７）の固定子（１０）が永久磁石で形成され、ハウジング（６）における上記モータ（７）の固定子（１０）を取り巻く箇所が握持可能な太さに形成され、ハウジング（６）における上記駆動軸の上方にモータ（７）のスイッチ（１５）が設けられ、ハウジング（６）内の上記モータ（７）の下方に回路基板（１６）が配置される。【選択図】      図１
2005035068.tif 000002
【特許請求の範囲】
【請求項１】
ハウジング内にモータが横置きされ、ハウジング内の前部に鋸刃の駆動軸が縦置きされ、ハウジングの下方に定盤が配置されたジグソーにおいて、上記モータの固定子が永久磁石で形成され、ハウジングにおける上記モータの固定子を取り巻く箇所が握持可能な太さに形成され、ハウジングにおける上記駆動軸の上方にモータのスイッチが設けられ、ハウジング内の上記モータの下方に回路基板が配置されたことを特徴とするジグソー。
【発明の詳細な説明】
【０００１】
【発明の属する技術分野】
本発明は、ジグソーに関する。
【０００２】
【従来の技術】
ジグソーは、モータの回転を鋸刃の垂直往復運動に変換することにより、鋸刃でワークを切断する装置である。図３に示すように、ジグソーのハウジング１内にはモータ２が横置きされ、ハウジング１内の前部には鋸刃３の駆動軸４が縦置きされ、ハウジング１の下方には定盤５が配置される。ハウジング１の上部のハンドル１ａを持って定盤５を図示しないワーク上に乗せ、モータ２を回転させると、鋸刃３が上下方向に往復運動をしてワークを切断する。
【０００３】
従来のジグソーのハウジングはモータ等の機器の配置、ワーク切断時の作業性等を考慮して様々な形状に形成される（例えば、特許文献１，２参照。）。
【特許文献１】
特開平８−２９４９０１号公報
【特許文献２】
特開２００２−３３７１０１号公報
【０００４】
【発明が解決しようとする課題】
ところが、従来のジグソーは外形が比較的大型であり、切断部から離れた箇所を把持しなければならず、また重量も比較的大きいので、切断時の作業性が低下するという問題がある。
【０００５】
本発明はこのような問題点を解決することを目的とする。
【０００６】
【課題を解決するための手段】
上記課題を解決するため、請求項１に係る発明は、ハウジング（６）内にモータ（７）が横置きされ、ハウジング（６）内の前部に鋸刃（８）の駆動軸が縦置きされ、ハウジング（６）の下方に定盤（９）が配置されたジグソーにおいて、上記モータ（７）の固定子（１０）が永久磁石で形成され、ハウジング（６）における上記モータ（７）の固定子（１０）を取り巻く箇所が握持可能な太さに形成され、ハウジング（６）における上記駆動軸の上方にモータ（７）のスイッチ（１５）が設けられ、ハウジング（６）内の上記モータ（７）の下方に回路基板（１６）が配置されたジグソーを採用する。
【０００７】
【発明の実施の形態】
次に、本発明の実施の形態について図面を参照して説明する。
【０００８】
図１及び図２に示すように、このジグソーのハウジング６は、左右二つ割りの割り片６ａ，６ｂを備え、両割り片６ａ，６ｂが突き合せられ図示しない止めネジ等により結合されることにより組み立てられる。
【０００９】
ハウジング６内にはモータ７が横置きされ、ハウジング６の前部内には鋸刃８の駆動軸（図示しないが、図３の駆動軸４を参照。）が縦置きされ、ハウジング６の下方には定盤９が配置される。
【００１０】
モータ７としては固定子１０が永久磁石であるいわゆるマグネットモータが採用され、ハウジング６内に水平状態すなわち横置きで設けられる。図１中、符号１１はハウジング６内に水平すなわち横置きで回転自在に支持された電機子を示し、符号１２は電機子１１に給電するブラシを示す。固定子１０は具体的にはフェライト磁石であるが、強力な薄い磁石であればその他の磁石でもかまわない。
【００１１】
駆動軸４は、図示しないがハウジング６の前部内に垂直状態すなわち縦置きで設けられる。上記モータ７の回転が図示しないカム装置等の伝動装置により駆動軸の垂直方向の往復直線運動に変換され、これにより駆動軸の下端に取り付けられた鋸刃８が同様な運動を行ってワークを切断する。
【００１２】
定盤９はハウジング６の下端に固定ネジ１３で水平に固定される。定盤９上には鋸刃８の垂直方向の往復直線運動を案内するローラ１４が設けられる。定盤９のローラ１４に対応する箇所には切欠９ａが形成され、鋸刃８がこの切欠９ａを定盤９下へと貫通する。
【００１３】
上記ハウジング６は、モータ７を収納し固定子１０を取り巻く箇所が握持可能な太さに形成される。これにより、作業者はハウジング６のモータ周りの箇所を手で把持することにより作業を行うことができる。図１に示すように、モータ７の固定子１０が永久磁石であることから、ハウジング６のふくらみが低減し、片手で握り易くなっている。
【００１４】
また、ハウジング６における駆動軸の上方には、モータ７をＯＮ／ＯＦＦ操作するためのスイッチ１５が設けられる。このスイッチ１５が取り付けられる部分はハウジング６の前部の上側であり、これにより、ハウジング６の前後方向の寸法が短縮化される。
【００１５】
また、ハウジング６内におけるモータ７の下方には、回路基板１６が配置される。図示しない電源とスイッチ１５は回路基板１６に電気的に接続される。このように回路基板１６がハウジング６内におけるモータ７の下方すなわちモータ７と定盤９との間に配置されることから、ハウジング６の余計な膨らみが防止される。
【００１６】
次に、上記構成のジグソーの作用について説明する。
【００１７】
ハウジング６におけるモータ７を囲む部分を片手で把持し、他方の手でハウジング６の前部上側を把持し、この手の指でスイッチ１５をＯＮ操作する。モータ７がマグネットモータであることからジグソー全体が小型軽量化され、作業者は簡易にジグソーを把持することができる。
【００１８】
スイッチ１５をＯＮ操作することにより、モータ７が回転し鋸刃８が上下に往復運動を行う。
【００１９】
定盤９を図示しないワークに当てて滑らせると、鋸刃８がワークを切削する。
ハウジング６の前後左右及び上下の寸法が小さく小型であることから、切削作業が簡易化される。
【００２０】
【発明の効果】
請求項１に係る発明によれば、ハウジング内にモータが横置きされ、ハウジング内の前部に鋸刃の駆動軸が縦置きされ、ハウジングの下方に定盤が配置されたジグソーにおいて、上記モータの固定子が永久磁石で形成され、ハウジングにおける上記モータの固定子を取り巻く箇所が握持可能な太さに形成され、ハウジングにおける上記駆動軸の上方にモータのスイッチが設けられ、ハウジングにおける上記モータの下方に回路基板が配置されており、モータとしてマグネットモータが採用されるのでハウジングにおける左右方向の収納容積が低減し、また、ハウジングにおけるモータを収納する箇所を握ることができるので従来のハンドルを省略して上下方向又は前後方向の寸法を低減することができ、ハウジングにおける駆動軸の上方にモータのスイッチが設けられると共にモータの下方に回路基板が配置されるのでハウジングの余計な膨らみを防止することができ、従ってジグソーの前後左右上下の大きさが全体として低減され操作性が向上する。
【図面の簡単な説明】
【図１】本発明に係るジグソーの部分断面図である。
【図２】図１に示すジグソーの正面図である。
【図３】従来のジグソーの部分断面図である。
【符号の説明】
６…ハウジング
７…モータ
８…鋸刃
９…定盤
１０…固定子
１５…スイッチ
１６…回路基板
【図１】
2005035068.tif 000003
【図２】
2005035068.tif 000004
【図３】
2005035068.tif 000005